(57)【要約】【課題】工場における作業手順管理システムにおいて、作業員の習熟度に応じた指示を表示させるための情報の蓄積を効率的に行うと共に、作業員各自のノウハウの共有を促進すること。【解決手段】作業者に対して作業手順を提示する作業手順管理システムであって、次に実行するべき手順の内容を示す手順画面を表示するための情報を出力すると共に、表示された前記手順画面に対応する手順が実行されたことを示す情報を取得し、実行状態の情報を更新するＳＯＰ実行順制御処理部１０と、所定の手順についてのノウハウを示す情報の入力を受け付けて記憶媒体に保存し、作業者が手順画面に対応する手順が実行されたことを示す情報を入力するための画面の表示に際して、ノウハウを示す情報を表示するための表示情報を出力するノウハウ表示制御処理部１１とを含むことを特徴とする。【選択図】図１
2014089586.tif 000002
【特許請求の範囲】
【請求項１】
作業者に対して作業手順を提示する作業手順管理システムであって、
複数の手順によって構成される工程の情報と、前記複数の手順夫々に関連付けられた実行状態の情報とに基づき、次に実行するべき手順の内容を示す手順画面を表示するための情報を出力する手順表示処理部と、
表示された前記手順画面に対応する手順が実行されたことを示す情報を取得し、前記実行状態の情報を更新する実行状態更新部と、
所定の手順についてのノウハウを示す情報の入力を受け付け、前記工程、手順及び入力者の習熟度を示す情報と関連付けて記憶媒体に保存するノウハウ情報記憶処理部と、
前記手順画面に対応する手順が実行されたことを示す情報を入力するための画面の表示に際して、前記作業者の習熟度、前記手順画面を提示中である手順及び前記手順を含む工程に基づき、前記記憶媒体に格納されたノウハウを示す情報を取得するノウハウ情報取得部と、
取得された前記ノウハウを示す情報を表示するための表示情報を出力するノウハウ表示処理部とを含むことを特徴とする作業手順管理システム。
【請求項２】
前記ノウハウ情報取得部は、前記手順画面を提示中である手順についてのノウハウを示す情報のうち、前記作業者の習熟度よりも高い習熟度に関連付けられているノウハウ情報を取得することを特徴とする請求項１に記載の作業手順管理システム。
【請求項３】
前記ノウハウ情報取得部は、前記手順画面を提示中である手順についてのノウハウを示す情報のうち、前記作業者の習熟度と一致する習熟度に関連付けられている情報を取得することを特徴とする請求項１に記載の作業手順管理システム。
【請求項４】
前記ノウハウ情報記憶処理部は、所定の手順についてのノウハウを示す情報として画像の入力を受け付け、
前記ノウハウ表示処理部は、前記ノウハウを示す情報に含まれる画像を表示する機能を含むことを特徴とする請求項１乃至３いずれか１項に記載の作業手順管理システム。
【請求項５】
作業者に対して作業手順を提示する作業手順管理方法であって、
複数の手順によって構成される工程の情報と、前記複数の手順夫々に関連付けられた実行状態の情報とに基づき、次に実行するべき手順の内容を示す手順画面を表示するための情報を出力し、
表示された前記手順画面に対応する手順が実行されたことを示す情報を取得し、前記実行状態の情報を更新し、
所定の手順についてのノウハウを示す情報の入力を受け付け、前記工程、手順及び入力者の習熟度を示す情報と関連付けて記憶媒体に保存し、
前記手順画面に対応する手順が実行されたことを示す情報を入力するための画面の表示に際して、前記作業者の習熟度、前記手順画面を提示中である手順及び前記手順を含む工程に基づき、前記記憶媒体に格納されたノウハウを示す情報を取得し、
取得された前記ノウハウを示す情報を表示するための表示情報を出力することを特徴とする作業手順管理方法。
【請求項６】
作業者に対して作業手順を提示する作業手順管理プログラムであって、
複数の手順によって構成される工程の情報と、前記複数の手順夫々に関連付けられた実行状態の情報とに基づき、次に実行するべき手順の内容を示す手順画面を表示するための情報を出力するステップと、
表示された前記手順画面に対応する手順が実行されたことを示す情報を取得し、前記実行状態の情報を更新するステップと、
所定の手順についてのノウハウを示す情報の入力を受け付け、前記工程、手順及び入力者の習熟度を示す情報と関連付けて記憶媒体に保存するステップと、
前記手順画面に対応する手順が実行されたことを示す情報を入力するための画面の表示に際して、前記作業者の習熟度、前記手順画面を提示中である手順及び前記手順を含む工程に基づき、前記記憶媒体に格納されたノウハウを示す情報を取得するステップと、
取得された前記ノウハウを示す情報を表示するための表示情報を出力するステップとを情報処理装置に実行させることを特徴とする作業手順管理プログラム。
【発明の詳細な説明】
【技術分野】
【０００１】
本発明は、作業手順管理システム、作業手順管理方法及び作業手順管理プログラムに関し、特に、作業員によるノウハウの共有に関する。
【背景技術】
【０００２】
医薬品製造工場などのプラントシステムにおいて、製品の品質を確保するために、ＳＯＰ（Ｓｔａｎｄａｒｄ  Ｏｐｅｒａｔｉｎｇ  Ｐｒｏｃｅｄｕｒｅｓ：標準作業規定）の遵守が義務付けられている。品質確保の実現にあたり、作業者と管理者間の円滑な作業情報の共有と、人為的ミスの撲滅に向けての措置と、作業員への適切な作業指示と、作業伝達の仕組みは必要不可欠である。
【０００３】
このような仕組みの例として、予め登録された情報に従って作業手順を順番に表示すると共に、表示された作業手順に応じて行った作業者の作業結果の入力を受け付け、受け付けた作業結果が認証された場合にのみ、次の手順が表示されるシステムが提案されている（例えば、特許文献１参照）。また、作業員の習熟度別に作業手順を表示するシステムが提案されている（例えば、特許文献２参照）。
【先行技術文献】
【特許文献】
【０００４】
【特許文献１】特開２０１１−２８９７号公報
【特許文献２】特開２０１１−１３４２２４号公報
【発明の開示】
【発明が解決しようとする課題】
【０００５】
製造工場で作業をする作業者には習熟度の違いがあるため、作業者の習熟度に応じた指示画面を表示させることが求められる。また、習熟度の高い作業員が有しているノウハウを、他の作業員に広く共有することが求められる。特許文献１に開示された発明は、作業員による作業の手順を規定することは可能であるが、作業員の習熟度については考慮されていない。
【０００６】
他方、特許文献２に開示された発明においては、習熟度別の指示について言及されているものの、習熟度別の指示情報の入力については考慮されていない。そのため、習熟度別に表示させるための情報を蓄積する作業が負担となる。また、習熟度別の指示情報が可能であったとしても、作業員各自のノウハウを共有することまでは考慮されていない。
【０００７】
本発明は上記課題に対応したものであり、工場における作業手順管理システムにおいて、作業員の習熟度に応じた指示を表示させるための情報の蓄積を効率的に行うと共に、作業員各自のノウハウの共有を促進することを目的とする。
【課題を解決するための手段】
【０００８】
本発明の一態様は、作業者に対して作業手順を提示する作業手順管理システムであって、次に実行するべき手順の内容を示す手順画面を表示するための情報を出力する手順表示処理部と、表示された前記手順画面に対応する手順が実行されたことを示す情報を取得し、前記実行状態の情報を更新する実行状態更新部と、所定の手順についてのノウハウを示す情報の入力を受け付けて記憶媒体に保存するノウハウ情報記憶処理部と、前記手順画面に対応する手順が実行されたことを示す情報を入力するための画面の表示に際して、前記記憶媒体に格納されたノウハウを示す情報を取得するノウハウ情報取得部と、取得された前記ノウハウを示す情報を表示するための表示情報を出力するノウハウ表示処理部とを含むことを特徴とする。
【０００９】
本発明の他の態様は、作業者に対して作業手順を提示する作業手順管理方法であって、次に実行するべき手順の内容を示す手順画面を表示するための情報を出力し、表示された前記手順画面に対応する手順が実行されたことを示す情報を取得し、前記実行状態の情報を更新し、所定の手順についてのノウハウを示す情報の入力を受け付けて記憶媒体に保存し、前記手順画面に対応する手順が実行されたことを示す情報を入力するための画面の表示に際して、前記記憶媒体に格納されたノウハウを示す情報を取得し、取得された前記ノウハウを示す情報を表示するための表示情報を出力することを特徴とする。
【００１０】
本発明の更に他の態様は、作業者に対して作業手順を提示する作業手順管理プログラムであって、次に実行するべき手順の内容を示す手順画面を表示するための情報を出力するステップと、表示された前記手順画面に対応する手順が実行されたことを示す情報を取得し、前記実行状態の情報を更新するステップと、所定の手順についてのノウハウを示す情報の入力を受け付けて記憶媒体に保存するステップと、前記手順画面に対応する手順が実行されたことを示す情報を入力するための画面の表示に際して、前記記憶媒体に格納されたノウハウを示す情報を取得するステップと、取得された前記ノウハウを示す情報を表示するための表示情報を出力するステップとを情報処理装置に実行させることを特徴とする。
【発明の効果】
【００１１】
本発明を用いることで、工場における作業手順管理システムにおいて、作業員の習熟度に応じた指示を表示させるための情報の蓄積を効率的に行うと共に、作業員各自のノウハウの共有を促進することができる。
【図面の簡単な説明】
【００１２】
【図１】本発明の実施形態に係るシステムの全体構成を示す図である。
【図２】本発明の実施形態に係るシステムの動作を示すフローチャートである。
【図３】本発明の実施形態に係る各種製造指図ローカルデータの例を示す図である。
【図４】本発明の実施形態に係る画面表示の例を示すフローチャートである。
【図５】本発明の実施形態に係るノウハウデータの入力画面の例を示す図である。
【図６】本発明の実施形態に係るノウハウデータの例を示す図である。
【図７】本発明の実施形態に係るノウハウデータの表示動作を示すフローチャートである。
【図８】本発明の実施形態に係る従業員ローカルデータの例を示す図である。
【図９】本発明の実施形態に係る情報処理装置のハードウェア構成を示すブロック図である。
【発明を実施するための形態】
【００１３】
本発明の実施形態について図面を用いて説明する。本実施形態に係るシステムは、工場等の製造プラントにおける作業手順の管理システムであって、作業員毎のノウハウを共有することを目的としたものである。以下、システムに含まれる機能及び処理の流れについて説明する。図１は本実施例の作業手順管理システム全体の構成図である。本実施形態に係る作業手順管理システムは、医薬品の生産工程を実施する工場において、予め指定したＳＯＰ（Ｓｔａｎｄａｒｄ  Ｏｐｅｒａｔｉｎｇ  Ｐｒｏｃｅｄｕｒｅｓ：標準作業規定）に従って、一連の作業が行われることを支援するためのシステムである。
【００１４】
図１に示すように、本実施形態に係る作業手順管理システムは、ＡＰ（ＡＰｐｌｉｃａｔｉｏｎ）・ＤＢ（ＤａｔａＢａｓｅ）サーバ１及び複数のクライアント端末２がネットワーク３を介して通信可能に接続されて構成されている。ＡＰ・ＤＢサーバ１は、クライアント端末２の数に応じて、充分な応答処理が可能な分の数が設置されており、図１に示すように、製造実績データ４、各種製造指図マスタ５、ノウハウデータ６及び従業員データ７等のデータベースと、それらのデータベースの検索や更新を行うＤＢ検索・更新処理部８とを含む。
【００１５】
クライアント端末２は、作業手順の表示、作業実績の入力、画面表示処理、SOP実行順制御処理、及びノウハウ表示制御処理を行うためのものであり、それぞれ工場内の管理責任者、製造作業者、秤量作業者毎に設けられる。クライアント端末２は、クライアント端末のメモリ上に保持される各種製造指図ローカルデータ１２と、従業員情報ローカルデータ１３を有し、ＳＯＰ実行順制御処理部１０、ノウハウ表示制御処理部１１、ノウハウ登録制御処理部１４及び画面表示処理部９で構成されている。
【００１６】
次に、ＳＯＰ実行順制御処理フローについて説明する。本実施形態に係るＳＯＰ実行順制御処理フローにおいては、製造品に対する各工程の作業手順をクライアント端末２よりＡＰ・ＤＢサーバ１の各種製造指図マスタ５へ登録し、登録された各種製造指図マスタ５のデータを基にクライアント端末２で製造指図を作成することにより、製造実績データ４に指図情報を作成する。
【００１７】
作業者がクライアント端末２で作成された製造指図を選択し、製造作業を開始すると、作業者の操作を受け付けたクライアント端末２においては、ＳＯＰ実行順制御処理部１０が、選択された指図の各種製造指図データを取得するための要求をＡＰ・ＤＢサーバ１に送信する。ＡＰ・ＤＢサーバ１においては、ＤＢ検索・更新処理部８が、クライアント端末２からの要求に基づいて製造実績データ４を検索して各種製造指図データ情報を取得し、クライアント端末２に送信する。クライアント端末２においては、ＡＰ・ＤＢサーバ１から各種製造指図データを受信し、クライアント端末２のローカルテーブルである各種製造指図ローカルデータ１２に格納、展開する（Ｓ２０１）。
【００１８】
このようにして展開された各種製造指図ローカルデータ１２の内容の例について図３（ａ）、（ｂ）に示す。図３（ａ）は、本実施形態に係る各種製造指図ローカルデータのうち、ある製品についてのＳＯＰの一覧の情報を示すテーブル（以降、「ＳＯＰデータ」とする）である。ＳＯＰデータにおいては、図３（ａ）に示すように、製造対象の製品を識別する“製品ＩＤ”、同一の製品名であっても製造方法が異なる場合があり、その製造方法を識別するための“処方ＩＤ”、工程を識別する“工程ＩＤ”、工程の内容を示す“作業指示名”、ＳＯＰを識別する“ＳＯＰＩＤ”が関連付けられている。尚、図３（ａ）に示すように、同一の工程ＩＤによって識別される工程であっても、複数の異なる作業が含まれる場合がある。
【００１９】
図３（ｂ）は、図３（ａ）に一覧として示される各ＳＯＰの詳細を示すテーブル（以降、「ＳＯＰ詳細データ」とする）である。ＳＯＰ詳細データにおいては、図３（ｂ）に示すように、詳細を示す対象の作業を識別する“ＳＯＰＩＤ”、各作業における指示の順序を示す“順序”、各順序における指示の内容を示す“指示内容”、各指示の種別を示す“指示コード”、各指示についての実行状態を示す“ステータス”が関連付けられている。
【００２０】
尚、上述したように、各種製造指図ローカルデータ１２は、ＡＰ・ＤＢサーバ１の製造実績データ４から受信してクライアント端末２側に展開した情報である。即ち、ＡＰ・ＤＢサーバ１の製造実績データ４には、図３（ａ）、（ｂ）に示すＳＯＰ一覧テーブル及びＳＯＰ詳細テーブルが複数の製品について格納されている。また、各種製造指図マスタ５には、図３（ａ）に示す情報や、図３（ｂ）に示す情報のうち“ステータス”を除外した情報が格納されている。
【００２１】
このようにしてクライアント端末２において各種製造指図ローカルデータ１２が展開されると、ＳＯＰ実行順制御処理部１０は、展開された各種製造指図ローカルデータ１２の“指示内容”及び“ステータス”を参照し（Ｓ２０２）、図４（ａ）に示すような画面を画面表示処理部９に表示させる（Ｓ２０３）。即ち、Ｓ２０２、Ｓ２０３においては、ＳＯＰ実行順制御処理部１０が、手順表示処理部として機能する。
【００２２】
このように、作業者が製造作業を行う場合、各種製造指図ローカルデータ１２のＳＯＰ詳細データに含まれる“ステータス”の情報に基づき、図４（ａ）に示すように、夫々の指図の内容が１行ずつ画面に表示されると共に、夫々の指図に応じた現在の状況が表示される。また、例えば、図４（ａ）の画面で「入力」ボタンを押下すると、図４（ｂ）に示すように各指図のＳＯＰの指示コード毎に対応する画面が表示される。
【００２３】
図４（ｂ）に示す個別の画面の表示に際して、ＳＯＰ実行順制御処理部１０は、図３（ｂ）に示すＳＯＰ詳細データを参照し、“ステータス”が「実行可」となっているレコード、即ち、次に実行するべき手順の指示内容を表示するための情報を出力する。図４（ｂ）に示す画面において作業者が「確認」ボタンを押下すると（Ｓ２０４／ＹＥＳ）、画面表示処理部から操作の通知を受けたＳＯＰ実行順制御処理部１０が、各種製造指図ローカルデータ１２のＳＯＰ詳細データにおける「ラベル発行」のレコードの“ステータス”を「実行可」から「済」に更新すると共に、次の作業を実行可能状態に更新する（Ｓ２０５）。
【００２４】
他方、図４（ｂ）に示す画面に作業者が「確認」ボタンを押下せず、その作業が進行しなかった場合（Ｓ２０４／ＮＯ）、ＳＯＰ実行順制御処理部１０は、Ｓ２０３からの処理を繰り返し、作業の進行を待つ。Ｓ２０５の処理を完了したＳＯＰ実行順制御処理部１０は、更新したステータスの情報を、ネットワークを介してＡＰ・ＤＢサーバ１の製造実績データ４に作業記録として登録する（Ｓ２０６）。Ｓ２０６において、ＳＯＰ実行順制御処理部１０は、実行状態更新部として機能する。このような処理により、１つの作業についての“ステータス”の判断及び更新処理が完了する。
【００２５】
また、図４（ｂ）に示す画面において「戻る」ボタンが押下された場合には、操作を受け付けたＳＯＰ実行順制御処理部１０は、図４（ａ）の画面を表示するように画面表示処理部９を制御する。また、図４（ａ）の画面において「戻る」ボタンが押下された場合、操作を受け付けた画面表示処理部９は、図４（ａ）の画面表示を終了するように制御する。
【００２６】
また、図２に示すような処理により、製造実績データ４が更新されるため、図４（ａ）に示す“状況”が全て「ＯＫ」になる前に画面が終了された場合であっても、次に同一の製品について図４（ａ）に示す画面が表示される場合には、前回の状況が表示され、作業を前回の続きから行うことができ、作業の漏れなどが発生しなくなる。
【００２７】
このように、作業者は表示された画面に作業記録を入力しなければ次の作業へは進めないため、作業手順を遵守させることが可能となる。また、作業を中断し画面を終了した場合、再び作業を開始したときに中断した作業の画面から開始することにより作業手順の遵守が守られる。
【００２８】
また、ＳＯＰは、基本的にはデータベースに登録された作業手順に沿って作業を行っていくが、複雑な作業やラベルの貼り付け位置を詳細に示したいなど、作業者の経験年数（習熟度）に応じて詳細な作業手順を確認させることにより作業ミスを防止することが求められる。本実施形態に係るシステムは、このようなノウハウ情報の共有をその要旨とする。
【００２９】
図５は、このようなノウハウ情報を入力するためのノウハウ登録画面を示す図である。図５に示す画面は、クライアント端末２においてノウハウ登録制御処理部１４の制御により画面表示処理部９によって表示される。図５に示すように、ノウハウ登録画面においては、“製品名”、“工程名”、“作業指示”、“作業順序”、“習熟度”、“内容”、“画像ファイルパス”及び“処方”の入力スペースが設けられていると共に、「撮影」、「登録」、「終了」の各操作部が設けられている。
【００３０】
“製品名”は、図３（ａ）の“製品ＩＤ”に対応する情報の入力スペースであり、入力された製品名に対応するＩＤが設定される。“工程名”は、図３（ａ）の“工程ＩＤ”に対応する情報の入力スペースであり、入力された工程名に対応するＩＤが設定される。“作業指示”は、図３（ａ）の“作業指示名”に対応する情報の入力スペースである。
【００３１】
“作業順序”は、図３（ｂ）の“順序”に対応する情報の入力スペースである。“習熟度”は、ノウハウを入力する作業員の習熟度の入力スペースであり、図５に示す「Ｃ」のような値によって示される。“内容”は、ノウハウとして共有したい文字情報の入力スペースである。“画像ファイルパス”は、共有するべきノウハウを示す画像がある場合に、その画像が格納されているファイルパスを入力するスペースである。
【００３２】
“処方”は、“製品名”を補助する情報であり、図３（ｂ）の“処方ＩＤ”に対応する情報の入力スペースである。同一の製品名であっても、処方によって製造方法が異なる場合がある。従って、“製品名”と共に“処方”を特定することにより、ノウハウを共有するべき製品を確実に特定することが可能となる。
【００３３】
「撮影」ボタンは、クライアント端末２に接続されているウェブカメラ等の撮像機器を起動するための操作部である。「撮影」ボタンが押下されることにより、クライアント端末２に接続された撮像機器及びそれを利用するためのアプリケーション・ソフトウェアが起動される。そのようにして起動されたアプリケーション・ソフトウェアを操作してノウハウとして共有するべき情報を示す画像を撮像することにより、撮像された画像の情報はクライアント端末２の内部若しくは接続された記憶媒体等に格納され、そのファイルパスが“画像ファイルパス”に自動的に入力される。
【００３４】
「登録」ボタンは、図５に示す夫々の入力スペースに入力されている情報を、ＡＰ・ＤＢサーバ１のノウハウデータ６に登録することを指示するための操作部であり、「終了」ボタンは、ノウハウ登録画面を終了することを指示するための操作部である。「登録」ボタンが押下されると、操作指示を受けたノウハウ登録制御処理部１４は、各入力スペースに入力されている情報を、ネットワークを介してＡＰ・ＤＢサーバ１のＤＢ検索・更新処理部８に送信する。また、画像ファイルパスが入力されている場合には、指定されているファイルパスに格納されている画像の情報も送信される。このようにしてノウハウデータ６に登録された情報を図６に示す。即ち、ノウハウ登録制御処理部１４がノウハウ情報記憶処理部として機能する。
【００３５】
このようにして、クライアント端末２を操作して作業を行う作業員により、ＡＰ・ＤＢサーバ１のノウハウデータ６が蓄積されていくことにより、システムを管理する管理者がノウハウデータを作成することなく、様々な作業員毎のノウハウがシステムにおいて蓄積される。従って、習熟度に応じたノウハウを蓄積するための作業負担を各作業員に分散し、軽減することが可能となる。
【００３６】
次に、本実施形態に係るシステムにおいて、図２において説明した各作業ごとの作業中にノウハウデータを表示する際の動作について、図７を参照して説明する。図２のＳ２０３において、図４（ａ）に示す画面が表示され、「入力」ボタンが押下されると、ＳＯＰ実行順制御処理部１０が操作を受け付け、ノウハウ表示制御処理部１１に処理を受け渡す。処理を受け渡されたノウハウ表示制御処理部１１は、各種製造指図ローカルデータ１２から“ステータス”が「実行可」である作業順序を取得する（Ｓ７０１）。
【００３７】
また、ノウハウ表示制御処理部１１は、クライアント端末２において作業を行っている作業員、即ち、クライアント端末２においてログインしている作業員の作業員ＩＤに基づき、ＡＰ・ＤＢサーバ１の従業員データ７から該当する従業員の情報を取得し、従業員情報ローカルデータ１３に展開する（Ｓ７０２）。図８に示すように、従業員情報ローカルデータ１３には、従業員ＩＤ及びその従業員の習熟度の情報が含まれる。図８に示す習熟度の情報は、図５の“習熟度”の入力スペースにおいて入力される情報に対応する。
【００３８】
Ｓ７０２まで処理を終えたノウハウ表示制御処理部１１は、Ｓ７０１において取得した作業順序及びＳ７０２において取得した習熟度に基づき、ＡＰ・ＤＢサーバ１のノウハウデータ６から、作業中の“製品ＩＤ”、“工程ＩＤ”、“ＳＯＰＩＤ”が夫々一致すると共に、“順序”及び“習熟度”が一致するレコードを抽出する（Ｓ７０３）。この際、処方の違いがある場合には、処方が一致するものを選択する。Ｓ７０３において、ノウハウ表示制御処理部１１は、ノウハウ情報取得部として機能する。
【００３９】
このようにしてノウハウデータ６から対応するレコードを取得したノウハウ表示制御処理部１１は、取得したレコードに基づき、画面表示処理部９を制御してノウハウ画面を表示させる（Ｓ７０４）。即ち、Ｓ７０４において、ノウハウ表示制御処理部１１は、ノウハウ表示処理部として機能する。図４（ｃ）は、このようにして表示されるノウハウ画面の例を示す図である。図４（ｃ）に示すように、ノウハウデータの“内容”の情報が表示されると共に、「確認」、「終了」のボタンが表示され、更に画像データが含まれる場合には「画像確認」のボタンが表示される。
【００４０】
「確認」ボタンが押下されずに（Ｓ７０５／ＮＯ）、「画像確認」ボタンが押下された場合、（Ｓ７０６／ＹＥＳ）、ノウハウ表示制御処理部１１は、取得したノウハウデータに含まれる画像データを、画面表示処理部９を制御して表示させる（Ｓ７０７）。そして、「確認」ボタンが押下されたら（Ｓ７０５／ＹＥＳ）、図４（ｂ）において説明した各指図についての個別の画面が表示される（Ｓ７０８）。これにより、図２のＳ２０４の処理に続くこととなる。
【００４１】
このように、本実施形態に係るシステムにおいては、作業者は表示された画面に作業記録を入力しなければ次の作業へは進めないような、作業手順の管理システムにおいて、作業記録を入力するための画面に進む際に、作業中の製品や工程、順序と共に作業者の習熟度が参照され、その製品及び作業者の習熟度に合ったノウハウの情報が表示された後に、作業記録を入力するための画面に進む。そのため、共有するべきノウハウを必ず作業者間で共有することが可能となる。
【００４２】
このような構成により、経験年数の浅い従業員が確実な作業を実現することができるようになるため、作業の手戻りを排除し、作業時間の低減を行うことができる。また、習熟度別に作業シナリオを持つことなく、必要に応じてノウハウデータを参照することが可能となるため、システム運用における作業負荷を軽減することができ、システム内にノウハウを溜めておくことが可能であるため、分かりにくい作業手順などを発見することができ、業務改善につなげることも可能となる。
【００４３】
尚、上記実施形態においては、図７のＳ７０３において、習熟度が一致するレコードのみを抽出する場合を例として説明した。この他、例えば、作業中の作業員の習熟度よりも習熟度が高いレコードを抽出するようにしても良い。これにより、熟練した作業員のノウハウを、経験の浅い作業員に提示することが可能となる。また、同一の“製品ＩＤ”、“処方ＩＤ”、“工程ＩＤ”、“ＳＯＰＩＤ”、“順序”において、複数のノウハウデータのレコードがある場合、複数のノウハウデータを表示させるようにしても良いし、最新のノウハウデータのみを表示させるようにしても良い。
【００４４】
尚、上記実施形態において説明したＡＰ・ＤＢサーバ１及びクライアント端末２は、情報処理装置において、ソフトウェアとハードウェアとの組み合わせによって実現される。以下、本実施形態に係るＡＰ・ＤＢサーバ１及びクライアント端末２を実現する情報処理装置のハードウェア構成について図９を参照して説明する。
【００４５】
図９に示すように、本実施形態に係る情報処理装置は、一般的なＰＣ（Ｐｅｒｓｏｎａｌ  Ｃｏｍｐｕｔｅｒ）と同様の構成を有する。即ち、本実施形態に係る情報処理装置は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、ＨＤＤ（Ｈａｒｄ  Ｄｉｓｋ  Ｄｒｉｖｅ）１０４及びＩ／Ｆ１０５がバス１０８を介して接続されている。また、Ｉ／Ｆ１０５にはＬＣＤ（Ｌｉｑｕｉｄ  Ｃｒｙｓｔａｌ  Ｄｉｓｐｌａｙ）１０６及び操作部１０７が接続されている。
【００４６】
ＣＰＵ１０１は演算手段であり、情報処理装置全体の動作を制御する。ＲＡＭ１０２は、情報の高速な読み書きが可能な揮発性の記憶媒体であり、ＣＰＵ１０１が情報を処理する際の作業領域として用いられる。ＲＯＭ１３は、読み出し専用の不揮発性記憶媒体であり、ファームウェア等のプログラムが格納されている。
【００４７】
ＨＤＤ１０４は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。Ｉ／Ｆ１０５は、バス１０８と各種のハードウェアやネットワーク等を接続し制御する。ＬＣＤ１０６は、ユーザが情報処理装置の状態を確認するための視覚的ユーザインタフェースである。操作部１０７は、キーボードやマウス等、ユーザが情報処理装置に情報を入力するためのユーザインタフェースである。尚、ＡＰ・ＤＢサーバ１は、その名の通りサーバとして構成されるため、ＬＣＤ１０６や操作部１０７等のユーザインタフェースは省略可能である。
【００４８】
このようなハードウェア構成において、ＲＯＭ１０３やＨＤＤ１０４若しくは図示しない光学ディスク等の記録媒体に格納されたプログラムがＲＡＭ１０２に読み出され、それらのプログラムに従ってＣＰＵ１０１が演算を行うことにより、ソフトウェア制御部が構成される。このようにして構成されたソフトウェア制御部と、ハードウェアとの組み合わせによって、本実施形態に係るＡＰ・ＤＢサーバ１及びクライアント端末２等の機能を実現する機能ブロックが構成される。
【符号の説明】
【００４９】
１  ＡＰ・ＤＢサーバ
２  クライアント端末
３  ネットワーク
４  製造実績データ
５  各種製造指図マスタ
６  ノウハウデータ
７  従業員データ
８  検索・更新処理部
９  画面表示処理部
１０  実行順制御処理部
１１  ノウハウ表示制御処理部
１２  各種製造指図ローカルデータ
１３  従業員情報ローカルデータ
１４  ノウハウ登録制御処理部
１０１  ＣＰＵ
１０２  ＲＡＭ
１０３  ＲＯＭ
１０４  ＨＤＤ
１０５  Ｉ／Ｆ
１０６  ＬＣＤ
１０７  操作部
１０８  バス
【図１】
2014089586.tif 000003
【図２】
2014089586.tif 000004
【図３】
2014089586.tif 000005
【図４】
2014089586.tif 000006
【図５】
2014089586.tif 000007
【図６】
2014089586.tif 000008
【図７】
2014089586.tif 000009
【図８】
2014089586.tif 000010
【図９】
2014089586.tif 000011